(57)【要約】【課題】折り曲げ部で折り曲げ可能な２つの面を有する測定対象物における折り曲げ角度を、幅広い範囲で計測し得ると共に、コンパクトな構成を実現できる光ファイバ式センサ装置を提供する。【解決手段】光ファイバ式センサ装置１は、測定対象物５０の２つの面Ｓ１，Ｓ２の一方の面上から折り曲げ部５１をまたいで他方の面上に至るように配設された光ファイバ２を備える。光ファイバ２は、折り曲げ部５１に対向する部分２ｐの接線方向が、折り曲げ部５１の延在方向に沿った方向になり、且つ、面Ｓ１，Ｓ２上の折り曲げ部５１寄りの部分が、部分２ｐから湾曲して折り曲げ部５１から離れていくように配設される。部分２ｐでの光ファイバ２の曲率が折り曲げ角度の変化に応じて変化することにより、光ファイバ２の光の伝送損失が折り曲げ角度の変化に応じて変化する。【選択図】図１
2020139828.tif 000002
【特許請求の範囲】
【請求項１】
折り曲げ部で折り曲げ可能な２つの面を有し、該２つの面の間の折り曲げ角度が前記折り曲げ部での折り曲げに応じて変化するように構成された測定対象物に、前記折り曲げ角度又は該折り曲げ角度に対して一定の相関性を有する物理量を検出し得るように取り付けられる光ファイバ式センサ装置であって、
前記２つの面の一方の面上から前記折り曲げ部をまたいで他方の面上に至るように配設されて、該２つの面のそれぞれに取付けられた光ファイバを備えると共に、該光ファイバは、前記折り曲げ部に対向する部分の接線方向が、該折り曲げ部の延在方向に沿った方向になるように配設されており、且つ、前記２つの面のそれぞれの面上の光ファイバの前記折り曲げ部寄りの部分は、前記対向する部分から当該面沿いに湾曲して前記折り曲げ部から離れていくように配設されており、前記光ファイバの光の伝送損失が前記折り曲げ角度又は前記物理量の変化に応じて変化するように構成されていることを特徴とする光ファイバ式センサ装置。
【請求項２】
請求項１記載の光ファイバ式センサ装置において、前記光ファイバは、前記折り曲げ部に対向する部分にヘテロコア部を有する光ファイバであることを特徴とする光ファイバ式センサ装置。
【請求項３】
請求項１又は２記載の光ファイバ式センサ装置において、前記２つの面のそれぞれの面上の光ファイバの前記折り曲げ部寄りの部分は、円又は楕円の弧に沿うように湾曲して配設されていることを特徴とする光ファイバ式センサ装置。
【発明の詳細な説明】
【技術分野】
【０００１】
本発明は、光ファイバを含む光ファイバ式センサ装置に関する。
【背景技術】
【０００２】
光を伝送するコアを有する光ファイバは、一般に、曲率がある程度大きくなると、その曲がり部分での光の漏出が生じることによって、光の伝送損失が発生すると共に、該曲率が大きくなるに伴い、光の伝送損失が増加していくという特性を有することが一般に知られている。そして、この特性を利用して、様々な物理量のセンシングを行い得るように構成されたセンサ装置が従来より提案されている。
【０００３】
例えば特許文献１には、光ファイバに当接する部材の変位（光ファイバに直交する方向での変位）に応じて該光ファイバの曲率が変化するように構成されると共に、該光ファイバでの光の伝送損失を計測することで、該伝送損失の計測値から前記部材の変位を計測し得るように構成されたセンサ装置が提案されている。
【先行技術文献】
【特許文献】
【０００４】
【特許文献１】特開２０１０−１８１２０４号公報
【発明の概要】
【発明が解決しようとする課題】
【０００５】
ところで、折り曲げ部で折り曲げ可能な２つの面を有する測定対象物において、光ファイバの上記の特性を利用して、当該２つの面の間の角度である折り曲げ角度を計測することが考えられる。
【０００６】
この場合、例えば、測定対象物の２つの面のうちの一方の面側から他方の面側にかけて、測定対象物の折り曲げ部の延在方向とほぼ直交する方向に光ファイバを配設すると共に、該光ファイバを測定対象物の２つの面に取付けることが考えられる。
【０００７】
しかるに、このようにした場合には、測定対象物の折り曲げに伴い、該測定対象物の折り曲げ部の位置での光ファイバの曲率を増加させていくことは可能であるものの、光ファイバを取り付けた２つの面の間の折り曲げ角度がある程度小さくなると（当該２つの面が接近すると）、光ファイバの曲率が過大なものとなって、該光ファイバの破断等の損傷を生じる虞が高まる。従って、上記の如く光ファイバを配設した場合には、小さい範囲の折り曲げ角度を計測することは困難である。
【０００８】
また、折り曲げ部の位置での光ファイバの曲率が大きくなり過ぎるのを防止するために、例えば、光ファイバが折り曲げ部から外方に突き出るように該光ファイバを折り曲げ部の近辺位置で湾曲させた場合には、折り曲げ角度の変化に対する光ファイバの曲率の変化の感度が低くなる共に、光ファイバが折り曲げ部の外方に突き出るために、測定対象物の周辺物体と光ファイバとの接触あるいは干渉が生じやすい。
【０００９】
また、例えば、特許文献１に見られるセンサ装置を使用して、測定対象物の２つの面の間の折り曲げ角度を計測することも考えられる。しかしながら、この場合、測定対象物の折り曲げを、特許文献１に見られるセンサ装置の光ファイバに当接する部材の変位に変換する機構が必要となる。このため、当該機構を含めた装置構成が複雑なものとなると共に、大型化してしまう。
【００１０】
本発明はかかる背景に鑑みてなされたものであり、折り曲げ部で折り曲げ可能な２つの面を有する測定対象物における折り曲げ角度、あるいは、該折り曲げ角度と一定の相関性を有する物理量を、幅広い範囲で計測し得ると共に、コンパクトな構成を実現できる光ファイバ式センサ装置を提供することを目的とする。
【課題を解決するための手段】
【００１１】
本発明の光ファイバ式センサ装置は、上記の目的を達成するために、折り曲げ部で折り曲げ可能な２つの面を有し、該２つの面の間の折り曲げ角度が前記折り曲げ部での折り曲げに応じて変化するように構成された測定対象物に、前記折り曲げ角度又は該折り曲げ角度に対して一定の相関性を有する物理量を検出し得るように取り付けられる光ファイバ式センサ装置である。当該センサ装置は、前記２つの面の一方の面上から前記折り曲げ部をまたいで他方の面上に至るように配設されて、該２つの面のそれぞれに取付けられた光ファイバを備えると共に、該光ファイバは、前記折り曲げ部に対向する部分の接線方向が、該折り曲げ部の延在方向に沿った方向になるように配設されており、且つ、前記２つの面のそれぞれの面上の光ファイバの前記折り曲げ部寄りの部分は、前記対向する部分から当該面沿いに湾曲して前記折り曲げ部から離れていくように配設されており、前記光ファイバの光の伝送損失が前記折り曲げ角度又は前記物理量の変化に応じて変化するように構成されていることを特徴とする。
【００１２】
かかる本発明によれば、前記測定対象物の２つの面の間の折り曲げ角度が変化すると、前記折り曲げ部に対向する部分（以降、部分２ｐということがある）又はその近傍部分での光ファイバの捻じれが発生しつつ、該部分２ｐの曲率が変化する。この場合、該部分２ｐの曲率は、前記折り曲げ角度が小さくなるに伴い（前記２つの面が接近するように測定対象物が折り曲げ部で折り曲がるに伴い）、増加する。ひいては、光ファイバでの光の伝送損失が、前記折り曲げ角度が小さくなるに伴い、増加するようになる。
【００１３】
また、この場合、光ファイバの上記部分２ｐ又はその近傍部分での光ファイバの捻じれが発生しつつ、該部分２ｐの曲率が変化するので、前記折り曲げ角が小さくなっても、光ファイバを前記２つの面と折り曲げ部とに沿わせた状態を維持しつつ、前記部分２ｐでの曲率が過大にならないようにすることが可能となる。
【００１４】
よって、本発明によれば、折り曲げ部で折り曲げ可能な２つの面を有する測定対象物における折り曲げ角度、あるいは、該折り曲げ角度と一定の相関性を有する物理量を、幅広い範囲で計測し得ると共に、コンパクトな構成の光ファイバ式センサ装置を実現できる
【００１５】
また、本発明では、記光ファイバは、前記折り曲げ部に対向する部分２ｐにヘテロコア部を有する光ファイバであることが好ましい。
【００１６】
これによれば、前記部分２ｐでの光ファイバの曲率の変化に対する前記伝送損失の変化の感度が高まる。ひいては、前記折り曲げ角度の変化に対する前記伝送損失の変化の感度を高めることができる。
【００１７】
また、本発明では、前記２つの面のそれぞれの面上の光ファイバの前記折り曲げ部寄りの部分は、例えば円又は楕円の弧に沿うように湾曲して配設され得る。
【００１８】
これによれば、前記２つの面のそれぞれの面上での光ファイバの配設パターンの設計的な設定を行い易くすることができる。
【図面の簡単な説明】
【００１９】
【図１】本発明の実施形態の光ファイバ式センサ装置とこれを用いた測定装置との構成を示す図。
【図２】図２Ａ及び図２Ｂは測定対象物の面上での光ファイバの配設パターンの第１の例を示す図。
【図３】図３Ａ及び図３Ｂは測定対象物の面上での光ファイバの配設パターンの第２の例を示す図。
【図４】測定対象物の２つの面の間の折り曲げ角度の変化に対する光ファイバの曲率の変化の仕方を説明するための図。
【図５】ヘテロコア部を有する光ファイバを示す図。
【図６】測定対象物の２つの面の間の折り曲げ角度と、光ファイバの光の伝送損失との関係に関する実測データを示す図。
【図７】測定対象物の２つの面の間の折り曲げ角度と、光ファイバの光の伝送損失との関係に関する実測データを示す図。
【図８】図８Ａは、他の実施形態での測定対象物と光ファイバとを示す斜視図、図８Ｂ図８Ａの測定対象物を折り曲げ部の延在方向で見た側面図。
【発明を実施するための形態】
【００２０】
本発明の一実施形態を図１〜図７を参照して以下に説明する。図１に示すように、本実施形態の光ファイバ式センサ装置１は、板状の測定対象物５０に取付けられた光ファイバ２を有するセンサ装置である。
【００２１】
板状の測定対象物５０は、直線状に延在する折り曲げ部５１で折り曲げ可能に構成されており、その外表面に、折り曲げ部５１を間に挟んで隣り合う２つの面Ｓ１，Ｓ２を有する。これらの２つの面Ｓ１，Ｓ２の全体は、折り曲げ部５１での測定対象物５０の折り曲げに伴い、該２つの面Ｓ１，Ｓ２の間の角度である折り曲げ角度αが変化するように折れ曲がる。なお、図示例の測定対象物５０では、面Ｓ１，Ｓ２は平坦面である。
【００２２】
光ファイバ２は、測定対象物５０の２つの面Ｓ１，Ｓ２の一方の面Ｓ１上から折り曲げ部５１をまたいで他方の面Ｓ２上にいたるように配設されている。そして、光ファイバ２のうち、面Ｓ１上の光ファイバ２の少なくとも一部と、面Ｓ２上の光ファイバ２の少なくとも一部とが面Ｓ１，Ｓ２の各々に接着剤等の適宜の取付手段により固定されている。
【００２３】
この場合、光ファイバ２は、折り曲げ部５１に対向する局所部分２ｐ（面Ｓ１上の部分と面Ｓ２上の部分との境界部分。以降、面境界部２ｐという）での光ファイバ２の接線方向が折り曲げ部５１の延在方向に一致もしくはほぼ一致する方向になり、且つ、光ファイバ２の面Ｓ１上の部分のうちの少なくとも折り曲げ部５１寄りの部分（折り曲げ部５１に近い部分）が、面境界部２ｐから面Ｓ１沿いに湾曲して折り曲げ部５１から離れていくように延在すると共に、光ファイバ２の面Ｓ２上の部分のうちの少なくとも折り曲げ部５１寄りの部分（折り曲げ部５１に近い部分）が、面境界部２ｐから面Ｓ２沿いに湾曲して折り曲げ部５１から離れていくように延在する、という態様で配設されている。
【００２４】
具体的には、例えば図２Ａ及び図２Ｂに例示する如く、光ファイバ２は、面境界部２ｐでの接線方向が折り曲げ部５１の延在方向に一致もしくはほぼ一致し、且つ、面Ｓ１上の部分のうちの折り曲げ部５１寄りの部分と、面Ｓ２上の部分のうちの折り曲げ部５１寄りの部分とが、折り曲げ部５１に近づくに伴い、接線方向が折り曲げ部５１の延在方向に近づいていくように、所定サイズの円Ｃ（図示例では半径がＲの円）の弧に沿って湾曲するするように配設される。
【００２５】
なお、図２Ａは、測定対象物５０の面Ｓ１，Ｓ２が１８０°の折り曲げ角度αで開いた状態を示し、図２Ｂは、面Ｓ１，Ｓ２が０°の折り曲げ角度αで閉じた状態を示している。
【００２６】
あるいは、例えば図３Ａ及び図３Ｂに例示する如く、光ファイバ２は、面境界部２ｐでの接線方向が折り曲げ部５１の延在方向に一致もしくはほぼ一致し、且つ、面Ｓ１上の部分のうちの折り曲げ部５１寄りの部分と、面Ｓ２上の部分のうちの折り曲げ部５１寄りの部分とが、折り曲げ部５１に近づくに伴い、接線方向が折り曲げ部５１の延在方向に近づいていくように、所定サイズの楕円Ｅ（図示例では、短径及び長径がそれぞれ２・Ｒａ、２・Ｒｂである楕円）の弧に沿って湾曲するように配設される。
【００２７】
なお、図２Ａ及び図２Ｂのそれぞれと同様に、図３Ａは、測定対象物５０の面Ｓ１，Ｓ２が１８０°の折り曲げ角度αで開いた状態を示し、図３Ｂは、面Ｓ１，Ｓ２が０°の折り曲げ角度αで閉じた状態を示している。また、図３Ａ及び図３Ｂに例示した楕円Ｅは、長軸方向が折り曲げ部５１の延在方向と直交する方向、短軸方向が該延在方向と平行な方向となる楕円であるが、該楕円Ｅは、例えば短軸方向が折り曲げ部５１の延在方向と直交する方向、長軸方向が該延在方向と平行な方向となる楕円であってもよい。
【００２８】
そして、光ファイバ２の面Ｓ１上の部分と面Ｓ２上の部分とは、面Ｓ１上及び面Ｓ２上のそれぞれにおける折り曲げ部５１寄りの部分の光ファイバ２の経路形状が一定もしくはほぼ一定に保たれるように、面Ｓ１，Ｓ２の各々に接着剤等の適宜の取付手段により固定される。この場合、面Ｓ１上の光ファイバ２の面Ｓ１に対する固定箇所は、面Ｓ１上の光ファイバ２の全体でもよいが、面Ｓ１上の光ファイバ２の１つ以上の局所部であってもよい。このことは、面Ｓ２上の光ファイバ２の面Ｓ２に対する固定箇所についても同様である。
【００２９】
また、光ファイバ２の面境界部２ｐ及びその近傍部分は、折り曲げ部５１又は面Ｓ１，Ｓ２に固定されていなくてもよい。また、面Ｓ１上の光ファイバ２のうち、面境界部２ｐからある程度離れた部分は、曲率があまり小さくならない状態で（折り曲げ部５１寄りの部分の最大曲率よりも十分に小さい曲率に保たれる状態で）、面Ｓ１に対して動き得るようになっていたり、あるいは、面Ｓ１上から離れていてもよい。このことは、面Ｓ２上の光ファイバ２についても同様である。
【００３０】
補足すると、光ファイバ２の面境界部２ｐは、点状の局所部に限らず、折り曲げ部５１の延在方向にある程度の長さを有する部分（該延在方向と同方向に延在する部分）であってもよい。また、面Ｓ１上及び面Ｓ２上のそれぞれの光ファイバ２の折り曲げ部５１寄りの部分の経路形状は、円Ｃ又は楕円Ｅの弧に沿う形状に限らず、例えば複数次数の関数（２次関数、３次関数等）の曲線形状等、種々様々な形状を採用し得る。また、当該経路形状を楕円の弧に沿う形状にする場合、該楕円の長軸方向及び短軸方向は、例えば折り曲げ部５１の延在方向に対して傾斜した方向であってもよい。
【００３１】
さらに、面Ｓ１上の光ファイバ２の折り曲げ部５１寄りの部分の経路形状と、面Ｓ２上の光ファイバ２の折り曲げ部５１寄りの部分の経路形状とは対称な形状（点対称の形状）でなくてもよい。例えば、面Ｓ１上及び面Ｓ２上の一方側の光ファイバ２の折り曲げ部５１寄りの部分の経路形状が楕円の弧に沿う形状、他方側の光ファイバ２の折り曲げ部５１寄りの部分の経路形状が円の弧に沿う形状、あるいは当該一方側の楕円と異なるサイズの楕円の弧に沿う形状であってもよい。
【００３２】
上記のように測定対象物５０に取付ける光ファイバ２は、通常のシングルモード光ファイバ及びマルチモード光ファイバ２のいずれであってもよい。あるいは、光ファイバ２は、その途中部に、図５に示すようにヘテロコア部を有する光ファイバ２Ｈ（以降、ヘテロコア光ファイバ２Ｈという）であってもよい。
【００３３】
該ヘテロコア光ファイバ２Ｈは、図示の如く、ヘテロコア部でのコアの径が、該ヘテロコア部の両側のコアの径よりも小さくなるように構成されている。かかるヘテロコア光ファイバ２Ｈを、光ファイバ式センサ装置１の光ファイバ２として採用した場合には、該ヘテロコア光ファイバ２Ｈは、そのヘテロコア部の局所部が前記面境界部２ｐの位置になるように測定対象物５０に取付けられる。
【００３４】
本実施形態の光ファイバ式センサ装置１の光ファイバ２は、上記の如く測定対象物５０に取付けられているので、測定対象物５０を折り曲げ部５１で折り曲げた場合（面Ｓ１，Ｓ２の間の折り曲げ角度αを変化させた場合）に、光ファイバ２の面境界部２ｐ又はその近傍部分での捻じれが生じつつ、該光ファイバ２の面境界部２ｐでの曲率（＝１／曲率半径）が変化する。なお、面境界部２ｐが折り曲げ部５１の延在方向にある程度の長さを有する場合には、主に、該面境界部２ｐの両端部での曲率が変化する。
【００３５】
この場合、面境界部２ｐでの曲率（＝１／曲率半径）は、面Ｓ１，Ｓ２の間の折り曲げ角度αの変化に対して単調に変化する。詳しくは、折り曲げ角度αが１８０°から減少するに伴い、面境界部２ｐでの光ファイバ２の曲率（＝１／曲率半径）は単調に増加する。
【００３６】
例えば、図２Ａ及び図２Ｂに示す如く、面Ｓ１上及び面Ｓ２上のそれぞれの光ファイバ２の折り曲げ部５１寄りの部分を半径Ｒの円Ｃの弧に沿わせるように配設した場合、折り曲げ角度αが１８０°の状態では、面境界部２ｐでの光ファイバ２の曲率はゼロとなり、折り曲げ角度αが０℃まで小さくなった状態では、当該曲率は１／Ｒに増加する。
【００３７】
また、例えば、図３Ａ及び図３Ｂに示す如く、面Ｓ１上及び面Ｓ２上のそれぞれの光ファイバ２の折り曲げ部５１寄りの部分を、短径及び長径のうちの折り曲げ部５１の延在方向と平行な方向の径が２・Ｒａ、該延在方向に直交する方向の径が２・Ｒｂである楕円Ｅの弧に沿わせるように配設した場合、折り曲げ角度αが１８０°の状態では、面境界部２ｐでの光ファイバ２の曲率はゼロとなり、折り曲げ角度αが０℃まで小さくなった状態では、当該曲率はＲｂ／Ｒａ2に増加する。
【００３８】
この場合、より詳しくは、折り曲げ角度αと面境界部２ｐでの光ファイバ２の曲率との関係は、近似的には次のような関係になる。すなわち、図１を参照して、折り曲げ部５１の延在方向をＸ軸、折り曲げ角度αの二等分線の方向をＹ軸とするＸＹ座標軸を想定する。そして、図４に示す如く、面Ｓ１上及び面Ｓ２上のそれぞれで、光ファイバ２を沿わせる楕円Ｅ（ここでは、Ｘ軸と平行な方向の径が２・Ｒａ、Ｘ軸に直交する方向の径が２・Ｒｂである楕円Ｅ）を上記ＸＹ座標軸のＸＹ平面に投影した楕円である投影楕円Ｅｓを想定する。該投影楕円Ｅｓは、Ｘ軸に平行な方向の径が２・Ｒａ、Ｘ軸に直交する方向の径が２・Ｒｂ・cosθ（ただし、θ＝α／２）となる楕円である。
【００３９】
この場合、光ファイバ２の面境界部２ｐでの曲率は、該面境界部２ｐでの上記投影楕円Ｅｓの曲率にほぼ一致するとみなし得る。このため、光ファイバ２の面境界部２ｐでの曲率（＝１／曲率半径）は、近似的に（Ｒｂ・cosθ）／Ｒａ2となる。従って、面境界部２ｐでの光ファイバ２の曲率（＝１／曲率半径）は、折り曲げ角度αが１８０°から減少するに伴い（θ＝α／２が９０°から減少するに伴い）、単調に増加する。
【００４０】
補足すると、面Ｓ１，Ｓ２上の光ファイバ２をそれぞれ半径Ｒの円Ｃの弧に沿わせるように配設した場合には、図４におけるＲａ，ＲｂをＲに一致させた場合と等価であるので、光ファイバ２の面境界部２ｐでの曲率（＝１／曲率半径）は、近似的にcosθ／Ｒとなる。従って、楕円Ｅの場合と同様に、面境界部２ｐでの光ファイバ２の曲率（＝１／曲率半径）は、折り曲げ角度αが１８０°から減少するに伴い（θ＝α／２が９０°から減少するに伴い）、単調に増加する。
【００４１】
本実施形態の光ファイバ式センサ装置１では、光ファイバ２の面境界部２ｐでの曲率が、上記の如く測定対象物５０の面Ｓ１，Ｓ２の間の折り曲げ角度αの変化（増加又は減少）に伴い、単調に変化する。このため、光ファイバ２に一定強度の光を入射して光伝送を行うと、基本的には、面境界部２ｐ及びその近傍部分の区間での光の漏出量が折り曲げ角度αに応じて変化する（折り曲げ角度αが減少するに伴い、当該漏出量が増加する）。
【００４２】
ここで、折り曲げ角度αの変化に応じて、光ファイバ２の面境界部２ｐでの曲率が変化することに加えて、該面境界部２ｐ又はその近傍部分での光ファイバ２の捻じれが発生するものの、光ファイバ２での光の伝送損失に対する当該捻じれの影響はほとんどないことが本願発明者等の実験により確認された。従って、光ファイバ２での光の伝送損失を計測することで、該伝送損失の計測値から折り曲げ角度αを計測（推定）することが可能である。
【００４３】
本実施形態の光ファイバ式センサ装置１を用いてかかる計測を行うためのシステムは、例えば図１に示す如く構成される。すなわち、光ファイバ２は、その両端部が、測定対象物５０の外部等に設置された測定装置１０に接続される。該測定装置１０は、光ファイバ２に入射する光を発光する光源としての発光部１１と、光ファイバ２で伝送された光を受光して、その受光強度に応じた検出信号を出力する受光部１２と、受光部１２の検出信号に基づく計測処理を実行する計測処理部１３とを備える。
【００４４】
発光部１１は、ＬＥＤ等の発光素子により構成され、受光部１２はフォトダイオード等の受光素子により構成される。そして、発光部１１に光ファイバ２の一端部が接続され、受光部１２に光ファイバ２の他端部が接続される。
【００４５】
補足すると、光ファイバ２の一端部は、該光ファイバ２で伝送された光を反射して戻すように構成されていてもよい。この場合には、発光部１１が光ファイバ２の他端部に接続されると共に、受光部１２が、光ファイバ２の一端部で反射された光を受光し得るように光ファイバ２に適宜の光カプラを介して接続される。
【００４６】
計測処理部１３は、例えばマイクロコンピュータ、メモリ、インターフェース回路等を含む電子回路ユニット、あるいは、パソコン、あるいは、これらの組み合わせにより構成され、受光部１２の検出信号（受光強度を示す検出信号）が入力される。そして、計測処理部１３は、実装されたハードウェア構成及びプログラム（ソフトウェア構成）の両方又は一方により実現される機能として、受光部１２の検出信号により示される受光強度から、光ファイバ２での光の伝送損失（以下、単に光損失という）を計測し、該光損失を折り曲げ角度αの計測値に変換して出力する機能を有する。
【００４７】
この場合、計測処理部１３は、折り曲げ角度αが所定値（例えば１８０°）である状態で、一定強度の光を発光部１１から光ファイバ２に入射したときに、受光部１２で検出された受光強度を基準受光強度としてあらかじめ記憶保持している。そして、折り曲げ角度αの計測時には、受光部１２で検出された受光強度の基準受光強度に対する比率を相対的な光損失として計測する。
【００４８】
さらに、計測処理部１３は、当該相対的な光損失と、折り曲げ角度αとの関係を表す相関データ（演算式、マップ等）をあらかじめ記憶保持している。該相関データは、あらかじめ実験等に基づいて（例えば後述する実測データに基づいて）作成される。そして、計測処理部１３は、受光強度の検出値から計測した光損失の値を、上記相関データを用いて折り曲げ角度αの計測値（推定値）に変換する。
【００４９】
ここで、測定対象物５０の面Ｓ１，Ｓ２の間の折り曲げ角度αと、光損失との間の実際の関係を表す実測データを図６及び図７に例示する。図６は、例えば、面Ｓ１上及び面Ｓ２上のそれぞれの光ファイバ２の折り曲げ部５１寄りの部分を図２Ａ及び図２Ｂに示す如く円Ｃの弧に沿わせて配設した場合において、測定装置１０を使用して計測した光損失（折り曲げ角度αを複数の値のそれぞれに設定した状態での光損失）の実測データを示すグラフである。
【００５０】
図６の横軸は、折り曲げ角度αの半分の角度θ（＝α／２）を表し、縦軸はデシベル単位での光損失を表している。この場合、光損失に関する基準受光強度は、折り曲げ角度αが１８０°（角度θが９０°）である場合の受光強度である。
【００５１】
そして、図６中の実線の２つのグラフのそれぞれは、光ファイバ２としてヘテロコア光ファイバ２Ｈを使用し、且つ、面Ｓ１，Ｓ２上で該光ファイバ２（２Ｈ）を図２Ａ及び図２Ｂに示す如く沿わせる円Ｃの半径Ｒをそれぞれ、１０ｍｍ、１５ｍｍに設定した場合の実測データを示している。この場合、ヘテロコア光ファイバ２Ｈは、例えば、シングルモード光ファイバを用いて作成されたものであり、ヘテロコア部のコアの直径が５μｍ、ヘテロコア部の両側のコアの直径が９μｍ、ヘテロコア部及びその両側のクラッドの直径が１２５μｍ、ヘテロコア部の長さが１〜２ｍｍの範囲内の長さのものである。
【００５２】
また、図６中の破線の２つのグラフのそれぞれは、光ファイバ２として、ヘテロコア部を備えない通常のシングルモード光ファイバを使用し、且つ、面Ｓ１，Ｓ２上で該光ファイバ２を図２Ａ及び図２Ｂに示す如く沿わせる円Ｃの半径Ｒをそれぞれ、５ｍｍ、７．５ｍｍに設定した場合の実測データを示す。この場合、光ファイバ２のコアの直径は９μｍ、クラッドの直径は１２５μｍである。
【００５３】
図６のグラフを参照して判るように、基本的には、折り曲げ角度αが１８０°から減少するに伴い、面境界部２ｐでの曲率が増加することに起因して、光損失が増加する傾向がある。また、折り曲げ角度αの変化に対する光損失の変化の感度は、光ファイバ２として通常のシングルモード光ファイバを使用した場合よりも、ヘテロコア光ファイバ２Ｈを使用した場合の方が顕著に高くなる。また、面Ｓ１，Ｓ２上で光ファイバ２を沿わせる円Ｃの半径Ｒが小さいほど、折り曲げ角度αの変化に対する光損失の変化の感度が高まる。
【００５４】
なお、光ファイバ２がヘテロコア光ファイバ２Ｈでない通常のシングルモード光ファイバであり、且つ、円Ｃの半径Ｒが５ｍｍである場合の実測データにおいては、折り曲げ角度αが１８０°に近い範囲で（角度θ＝α／２が５０°よりも大きい範囲で）での光損失がα＝１８０°である場合の光損失よりも小さくなっている。これは、折り曲げ角度αが１８０°に近い範囲では、折り曲げ角度αの変化に対する、光ファイバ２の面境界部２ｐでの曲率の変化率が微小であることから、面Ｓ１，Ｓ２に対する光ファイバ２の取付け位置の誤差や、該光ファイバ２の経路形状の誤差の影響を受けるためと考えられる。
【００５５】
また、光ファイバ２が通常のシングルモード光ファイバであり、且つ、円Ｃの半径Ｒが７．５ｍｍである場合の実測データにおいては、折り曲げ角度αが４０°よりも大きい範囲で（角度θ＝α／２が２０°よりも大きい範囲で）での光損失がほぼ０ｄＢに保たれている。これは、当該角度範囲では、折り曲げ角度αの変化に対する、光ファイバ２の面境界部２ｐでの曲率の変化率が小さすぎるためであると考えられる。
【００５６】
次に、図７に示すグラフは、光ファイバ２として、ヘテロコア部を備えない通常のシングルモード光ファイバを使用し、且つ、面Ｓ１上及び面Ｓ２上のそれぞれの光ファイバ２の折り曲げ部５１寄りの部分を図３Ａ及び図３Ｂに示す如く楕円Ｅの弧に沿わせて配設した場合の実測データを示している。この場合、面Ｓ１，Ｓ２上で光ファイバ２を沿わせる楕円Ｅの短径及び長径のうち、折り曲げ部５１の延在方向の径（２・Ｒａ）と、該延在方向に直交する方向の径（２・Ｒｂ）とはそれぞれ、３０ｍｍ、１８０ｍｍに設定されている。また、光ファイバ２のコアの直径は９μｍ、クラッドの直径は１２５μｍである。なお、図７の横軸及び縦軸は、図６と同様に、それぞれ折り曲げ角度αの半分の角度θ（＝α／２）と、デシベル単位での光損失とを表している。
【００５７】
図７のグラフから判るように、面Ｓ１上及び面Ｓ２上のそれぞれの光ファイバ２を図３Ａ及び図３Ｂに示す如く楕円Ｅの弧に沿わせるように配設した場合でも、折り曲げ角度αが１８０°から減少するに伴い、面境界部２ｐでの曲率が増加することに起因して、光損失が増加する傾向がある。また、楕円Ｅの短径の方向を折り曲げ部５１の延在方向とすると共に、長径の方向を該延在方向に直交する方向にして、長径Ｒｂの長さを短径Ｒａの長さより十分に大きくすることで折り曲げ角度αの変化に対する光損失の変化の感度を高めることができることが判る。
【００５８】
なお、図７の実測データにおいては、折り曲げ角度αが１２０°よりも大きい範囲（角度θ＝α／２が６０°よりも大きい範囲）での光損失がほぼ０ｄＢに保たれている。これは、当該角度範囲では、折り曲げ角度αの変化に対する、光ファイバ２の面境界部２ｐでの曲率の変化率が小さいためであると考えられる。
【００５９】
以上の如く、本実施形態の光ファイバ式センサ装置１では、光ファイバ２を前記した如く測定対象物５０の面Ｓ１，Ｓ２に取付けているので、面Ｓ１，Ｓ２の間の面境界部２ｐでの光ファイバ２の曲率を、面Ｓ１，Ｓ２の間の折り曲げ角度αに変化（増加又は減少）に応じて単調に変化させることができる。ひいては、光ファイバ２で光伝送を行った場合の光損失を、面Ｓ１，Ｓ２の間の折り曲げ角度αに応じて変化させることができる。その結果、該光損失の計測値から、折り曲げ角度αを計測（推定）することが可能となる。
【００６０】
また、この場合、折り曲げ角度αが０°となる状態で、面境界部２ｐでの光ファイバ２の曲率が最大になるので、折り曲げ角度αが０°となる状態で面Ｓ１，Ｓ２の法線方向で見た光ファイバ２の経路形状を適切に設定しておくことで（例えば図２Ａ及び図２Ｂに示す円Ｃのサイズや、図３Ａ及び図３Ｂに示す楕円Ｅのサイズを適切に設定しておくことで）、折り曲げ部５１での測定対象物５０の任意の折り曲げ状態において、面境界部２ｐでの光ファイバ２の曲率が過大になるのを防止することができる。ひいては、折り曲げ角度αが小さくなる状態に測定対象物５０が折れ曲がっても、光ファイバ２が過剰に折れ曲がって、該光ファイバ２の破断等の損傷が生じるのを防止するこができる。
【００６１】
さらに、折り曲げ角度αによらずに、光ファイバ２を面Ｓ１，Ｓ２及び折り曲げ部５１に沿わせた状態を維持できるので、測定対象物５０の周囲の物体と光ファイバ２との接触あるいは干渉を生じないように光ファイバ式センサ装置１を構築することを容易に実現できると共に、該光ファイバ式センサ装置１をコンパクトに構成することができる。
【００６２】
また、特に光ファイバ２としてヘテロコア光ファイバ２Ｈを使用した場合には、折り曲げ角度αの変化に対する光損失の変化の感度を高めることができる。ひいては、折り曲げ角度αの測定精度を高めることが可能となる。
【００６３】
なお、本発明は以上説明した実施形態に限定されるものではなく、他の実施形態を採用することもできる。以下に、他の実施形態をいくつか例示する。
【００６４】
前記実施形態では、測定対象物５０として、図１に示した如く、折り曲げ部５１の延在方向で見た形状が、該折り曲げ部５１での折り曲げによって尖鋭な三角形状になるものを例示した。ただし、測定対象物５０は、折り曲げ部５１での折り曲げによって、光ファイバ２を取り付ける２つの面Ｓ１，Ｓ２の間の部分が湾曲するように折れ曲がるものであってもよい。
【００６５】
また、光ファイバ２を取り付ける面Ｓ１，Ｓ２は、測定対象物５０の外表面に限らず、内表面であってもよい。また、測定対象物５０は、光ファイバ２を取り付ける面Ｓ１，Ｓ２として、例えば図８Ａ及び図８Ｂに例示する如く湾曲した面Ｓ１，Ｓ２を有するものであってもよい。
【００６６】
また、前記実施形態では、光ファイバ式センサ装置１を用いて、測定対象物５０の面Ｓ１，Ｓ２の間の折り曲げ角度αを計測するシステムについて説明した。ただし、光ファイバ式センサ装置１は、測定対象物５０の面Ｓ１，Ｓ２の間の折り曲げ角度αを計測する場合に限らず、該折り曲げ角度αに対して一定の相関性（依存性）を有する任意の物理量を計測する場合にも適用できる。
【００６７】
例えば、図８Ａ及び図８Ｂに例示する如く、測定対象物５０の内部（面Ｓ１，Ｓ２の内側）に弾性体５２が収容されている場合、折り曲げ部５１の近辺での面Ｓ１，Ｓ２の間の折り曲げ角度αの変化に応じて、面Ｓ１，Ｓ２の間で弾性体５２により発生する弾性力が変化する（折り曲げ角度αの増加に伴い、当該弾性力が増加する）。従って、光ファイバ２での光損失の計測値から、面Ｓ１，Ｓ２の間で発生する弾性力を計測（推定）することができる。この場合、光損失の計測値から折り曲げ角度αを推定した上で、該折り曲げ角度αの推定値から上記弾性力を推定することも可能であるが、光損失の計測値から直接的に上記弾性力を推定することも可能である。
【符号の説明】
【００６８】
１…光ファイバ式センサ装置、２…光ファイバ、２ｐ…面境界部（折り曲げ部に対向する部分）、５０…測定対象物、５１…折り曲げ部、Ｓ１，Ｓ２…面。
【図１】
2020139828.tif 000003
【図２】
2020139828.tif 000004
【図３】
2020139828.tif 000005
【図４】
2020139828.tif 000006
【図５】
2020139828.tif 000007
【図６】
2020139828.tif 000008
【図７】
2020139828.tif 000009
【図８】
2020139828.tif 000010